(57)【要約】      （修正有）【課題】肺のスキャンデータを分析し、肺の候補報告書を提示するためのシステム及び方法を提供する。【解決手段】処理装置と信号通信する出力装置を含む肺の視覚化システムにおいて、処理装置は、ボクセルから肺葉及び肺亀裂を線引きし、線引きされた肺葉内のボクセルの各々について、事前定義された放射線濃度値の閾値又は放射線濃度値の閾値範囲に基づいて、肺葉の各々の肺気腫スコアを生成し、ボクセルに基づいて肺亀裂の各々に対する亀裂完全性スコアを生成し、標的葉の肺気腫スコア及び標的葉に隣接する葉の肺気腫スコアに基づいて、少なくとも２つの葉の不均質性スコアを生成し、肺気腫スコア、亀裂完全性スコア及び不均質性スコアを含む報告書を生成し、報告書を出力する。【選択図】図２
2020113275.tif 000002
【特許請求の範囲】
【請求項１】
方法であって、
人の肺の少なくとも一部分の三次元画像データを受信することであって、前記三次元画像データが、ボクセルを含む、受信することと、
前記ボクセルから肺葉及び肺亀裂を線引きすることと、
線引きされた肺葉内の前記ボクセルの各々について、事前定義された放射線濃度値の閾値又は放射線濃度値の閾値範囲に基づいて、前記肺葉の各々に対する肺気腫スコアを生成することと、
前記ボクセルに基づいて、前記肺亀裂の各々に対する亀裂完全性スコアを生成することと、
標的葉の前記肺気腫スコア及び前記標的葉に隣接する葉の前記肺気腫スコアに基づいて、少なくとも２つの葉の不均質性スコアを生成することと、
前記肺気腫スコア、前記亀裂完全性スコア、及び前記不均質性スコアを含む報告書を生成することと、
前記報告書を出力することと、を含む、方法。
【請求項２】
前記報告書が、
前記生成された肺気腫スコアに基づく肺気腫レベルの視覚的表現と、
前記生成された亀裂完全性スコアに基づく亀裂完全性の視覚的表現と、
肺葉候補の視覚的表現と、を含む、請求項１に記載の方法。
【請求項３】
前記肺気腫レベルの前記視覚的表現が、前記肺葉の各々の視覚的表現を含み、前記肺気腫レベルが、対応する肺葉の視覚的表現の特定の色又はパターンのうちの少なくとも１つによって視覚的に表される、請求項２に記載の方法。
【請求項４】
前記亀裂完全性の前記視覚的表現が、前記線引きされた亀裂の各々の視覚的表現を含み、前記線引きされた亀裂が、前記亀裂完全性スコアに基づいて特定の色又はパターンのうちの少なくとも１つによって視覚的に表される、請求項３に記載の方法。
【請求項５】
前記肺葉候補の前記視覚的表現が、肺葉候補アイコンを含み、前記肺葉候補アイコンが、前記肺葉の視覚的表現の対応する１つに視覚的に関連付けられている、請求項３に記載の方法。
【請求項６】
前記肺葉候補アイコンが、前記肺気腫スコアと、前記関連する肺葉の前記不均質性スコアと、前記関連する肺葉に隣接する前記亀裂の前記亀裂完全性スコアと、を含む、請求項５に記載の方法。
【請求項７】
前記肺葉候補アイコンが、事前定義された組み入れ基準を満たす視覚的指標を含む、請求項５に記載の方法。
【請求項８】
前記事前定義された組み入れ基準を満たす前記視覚的指標が、一意の色又はパターンのうちの少なくとも１つにおいて、前記肺葉候補アイコンの少なくとも一部分を表すことを含む、請求項７に記載の方法。
【請求項９】
前記放射線濃度値が、ハウンスフィールド単位値で表される、請求項１に記載の方法。
【請求項１０】
前記出力された報告書に基づいて、前記人に対して気管支鏡誘導の肺容量減少処置を行うことを更に含む、請求項１に記載の方法。
【請求項１１】
システムであって、
処理装置であって、
人の肺の少なくとも一部分の三次元画像データを受信することであって、前記三次元画像データが、ボクセルを含む、受信することと、
前記ボクセルから肺葉及び肺亀裂を線引きすることと、
線引きされた肺葉内の前記ボクセルの各々について、事前定義された放射線濃度値の閾値又は放射線濃度値の閾値範囲に基づいて、前記肺葉の各々に対する肺気腫スコアを生成することと、
前記ボクセルに基づいて、前記肺亀裂の各々に対する亀裂完全性スコアを生成することと、
標的葉の前記肺気腫スコア及び前記標的葉に隣接する葉の前記肺気腫スコアに基づいて、少なくとも２つの葉の不均質性スコアを生成することと、
前記肺気腫スコア、前記亀裂完全性スコア、及び前記不均質性スコアを含む報告書を生成することと、を行うように構成されている、処理装置と、
前記処理装置と信号通信する出力装置であって、前記報告書を出力するように構成されている、出力装置と、を備える、システム。
【請求項１２】
前記報告書が、
前記生成された肺気腫スコアに基づく肺気腫レベルの視覚的表現と、
前記生成された亀裂完全性スコアに基づく亀裂完全性の視覚的表現と、
肺葉候補の視覚的表現と、を含む、請求項１１に記載のシステム。
【請求項１３】
前記肺気腫レベルの前記視覚的表現が、前記肺葉の各々の視覚的表現を含み、前記肺気腫レベルが、対応する肺葉の視覚的表現の特定の色又はパターンのうちの少なくとも１つによって視覚的に表される、請求項１２に記載のシステム。
【請求項１４】
前記亀裂完全性の前記視覚的表現が、前記線引きされた亀裂の各々の視覚的表現を含み、前記線引きされた亀裂が、前記亀裂完全性スコアに基づいて特定の色又はパターンのうちの少なくとも１つによって視覚的に現される、請求項１３に記載のシステム。
【請求項１５】
前記肺葉候補の前記視覚的表現が、肺葉候補アイコンを含み、前記肺葉候補アイコンが、対応する肺葉の視覚的表現に視覚的に関連付けられている、請求項１３に記載のシステム。
【請求項１６】
前記肺葉候補アイコンが、前記肺気腫スコアと、前記関連する肺葉の前記不均質性スコアと、前記関連する肺葉に隣接する前記亀裂の前記亀裂完全性スコアと、を含む、請求項１５に記載のシステム。
【請求項１７】
前記肺葉候補アイコンが、事前定義された組み入れ基準を満たす視覚的指標を含む、請求項１５に記載のシステム。
【請求項１８】
前記事前定義された組み入れ基準を満たす前記視覚的指標が、一意の色又はパターンのうちの少なくとも１つにおいて、前記肺葉候補アイコンの少なくとも一部分を表すことを含む、請求項１７に記載のシステム。
【請求項１９】
前記放射線濃度値が、ハウンスフィールド単位値で表される、請求項１１に記載のシステム。
【請求項２０】
非一時的なコンピュータ可読記録媒体であって、その上に実行可能なプログラムが格納されており、前記プログラムが、プロセッサに、
人の肺の少なくとも一部分の三次元画像データを受信することであって、前記三次元画像データが、ボクセルを含む、受信することと、
前記ボクセルから肺葉及び肺亀裂を線引きすることと、
線引きされた肺葉内の前記ボクセルの各々について、事前定義された放射線濃度値の閾値又は放射線濃度値の閾値範囲に基づいて、前記肺葉の各々に対する肺気腫スコアを生成することと、
前記ボクセルに基づいて、前記肺亀裂の各々に対する亀裂完全性スコアを生成することと、
標的葉の前記肺気腫スコア及び前記標的葉に隣接する葉の前記肺気腫スコアに基づいて、少なくとも２つの葉の不均質性スコアを生成することと、
前記肺気腫スコア、前記亀裂完全性スコア、及び前記不均質性スコアを含む報告書を生成することと、
前記報告書を出力装置に出力することと、を行わせ、
前記報告書が、
前記生成された肺気腫スコアに基づく肺気腫レベルの視覚的表現と、
前記生成された亀裂完全性スコアに基づく亀裂完全性の視覚的表現と、
肺葉候補の視覚的表現と、を含む、非一時的なコンピュータ可読記録媒体。
【発明の詳細な説明】
【技術分野】
【０００１】
本開示は、肺の分析及び報告システムに関する。
【背景技術】
【０００２】
患者の高分解能コンピュータ断層撮影（high-resolution computed tomography、ＨＲＣＴ）情報及び定量的コンピュータ断層撮影（quantitative computed tomography、ＱＣＴ）結果の分析は、患者の転帰を成功させるために重要である。気管支鏡誘導の肺容量減少（bronchoscopy guided lung volume reduction、ＢＬＶＲ）処置を確実に成功させるために、医師は、治療の標的葉及び潜在的候補を迅速かつ確信的に特定することを可能にするように、肺気腫の重症度、亀裂（fissure）完全性、及び不均質性の信頼できる重要な測定が必要とされる。
【先行技術文献】
【非特許文献】
【０００３】
【非特許文献１】Strange C; Herth, FJ; Kovitz, KL; McLennan, G; Ernst, A; Goldin J; et al，Design of the Endobronchial Valve for Emphysema Palliation Trial (VENT): a nonsurgical method of lung volume reduction，BMC Pulm Med. 2007 Jul 3; 7:10
【非特許文献２】Brown, MS; Ochs, R; Abtin, F; Ordookhani, A; Brown, M; Kim, H; Shaw, G; Chong, D; Goldin, J.，Automated Quantitative Assessment of Lung Fissure Integrity on CT，Proceedings of the First International Workshop on Pulmonary Image Analysis，New York, USA，2008，93-102
【発明の概要】
【課題を解決するための手段】
【０００４】
本開示は、肺の候補情報を医療専門家に提供するための改善されたシステム及び方法を開示する。
【０００５】
本開示は、人の肺の少なくとも一部分の三次元画像データを受信する処理装置を有する例示的なシステムを提供し、三次元画像データは、容積的なデータ（すなわち、ボクセル）を含む。処理装置は、ボクセルから肺葉及び肺亀裂を線引きし、線引きされた肺葉内のボクセルの各々について、事前定義された放射線濃度値の閾値又は放射線濃度値の閾値範囲に基づいて、肺葉の各々の肺気腫スコアを生成する。処理装置は、ボクセルに基づいて肺亀裂の各々に対する亀裂完全性スコアを生成し、標的葉の肺気腫スコア及び標的葉に隣接する葉の肺気腫スコアに基づいて、少なくとも２つの葉の不均質性スコアを生成し、肺気腫スコア、亀裂完全性スコア、及び不均質性スコアを含む報告書を生成する。このシステムは、処理装置と信号通信する出力装置を含む。出力装置は、報告書を出力する。
【０００６】
本開示の一態様では、報告書は、生成された肺気腫スコアに基づく肺気腫レベルの視覚的表現と、生成された亀裂完全性スコアに基づく亀裂完全性の視覚的表現と、肺葉候補の視覚的表現と、を含む。肺気腫レベルの視覚的表現は、肺葉の各々の視覚的表現を含み、肺気腫レベルは、対応する肺葉の視覚的表現の特定の色又はパターンのうちの少なくとも１つによって視覚的に表される。亀裂完全性の視覚的表現は、線引きされた亀裂の各々の視覚的表現を含み、線引きされた亀裂は、亀裂完全性スコアに基づいて特定の色又はパターンのうちの少なくとも１つによって視覚的に表される。
【０００７】
本開示の別の態様では、肺葉候補の視覚的表現は、肺葉候補アイコンを含み、肺葉候補アイコンは、対応する肺葉の視覚的表現に視覚的に関連付けられている。肺葉候補アイコンは、肺気腫スコアと、関連する肺葉の不均質性スコアと、関連する肺葉に隣接する亀裂の亀裂完全性スコアと、を含む。肺葉候補アイコンは、事前定義された組み入れ基準を満たす視覚的指標を含む。事前定義された組み入れ基準を満たす視覚的指標は、一意の色又はパターンのうちの少なくとも１つにおいて、肺葉候補アイコンの少なくとも一部分を表すことを含む。
【０００８】
更なる特徴、利点、及び適用分野は、本明細書に提供される説明から明らかになるであろう。説明及び具体的な例は、単に例示目的のために意図され、本開示の範囲を限定することは意図されないことを理解されたい。
【図面の簡単な説明】
【０００９】
本明細書に説明される図面は、単に例示目的のためであり、決して本開示の範囲を制限することは意図されない。図面における構成要素は、必ずしも一定の縮尺ではなく、本発明の原理を例示することに重点を置かれる。図面において以下を含む。
【００１０】
【図１】本発明の実施形態に従って形成された例示的なシステムのブロック図である。
【図２】少なくとも図１のシステムによって行われる例示的なプロセスのフロー図である。
【図３】図２に示されるプロセスに従って、図１のシステムによって生成された報告書の画像である。
【発明を実施するための形態】
【００１１】
以下の説明は、本質的に単に例示的なものであり、本開示、適用、又は使用を限定することは意図されない。以下の説明では、保留中の気管支鏡誘導の肺容量減少（ＢＬＶＲ）処置の肺葉の候補を判定する際に使用するための包括的な報告書を分析及び提供するための装置及び方法の様々な実施形態を、限定ではなく例示のみを目的として説明する。
【００１２】
一実施形態は、肺の態様を自動化し、表示し、相互作用し、かつ特徴付けるプロセスを説明する。人の肺を生体内で撮像取得装置を用いて撮像するとき、その画像を再構築し、評価して正常な状態及び病気の状態を描写することができる。病気の様々なサブクラス及び病気単位の様々な描写（表現型）のため、肺の小葉領域及びそれらを分離する亀裂の評価は、病気を正確に特徴付け、ＢＬＶＲ治療に対する反応を予測するために重要である。
【００１３】
本開示は、臨床判断を可能にするために、肺葉、亀裂の完全性、及び肺気腫の程度に関する値の視覚化を自動化された方法で提供するシステム及び方法を含む。
【００１４】
左肺及び右肺は、本明細書では単に亀裂と呼ばれる葉間亀裂である深裂部によって複数の葉に各々分割される。肺の外面は、亀裂に向かって下がり葉を取り囲む臓側胸膜である内層を含む胸膜によって覆われている。したがって、亀裂は肺の葉間の接合部であり、葉の最外面及び葉が互いに当接する場所の臓側胸膜によって画定される。したがって、亀裂自体は実際には当接する葉間の境界面であるが、容積的な画像上で検出でき、亀裂であると解釈されるのは葉境界面の非常に薄い層である。右肺は、斜裂及び水平裂として既知である２つの亀裂で分割された３つの葉（上部、中央、及び下部葉）を含む。左肺は、それらの間に、１つの亀裂である斜裂を有する２つの葉（上部及び下部葉）を含む。
【００１５】
葉の縁部及び葉を覆う胸膜は、亀裂を画定し、葉を分離し、その結果各葉の換気は、隣接する、当接する葉の換気から分離される。更に、胸膜は通常、平滑な表面を形成し、吸入及び排出中に当接する葉が互いに対して摺動することを可能にする。しかしながら、特定の病気の状態では、胸膜が肥厚又は付着することがある。更に、当接する葉が互いに付着し、亀裂を正常に画定する胸膜及び肺の周辺が失われる場合がある。亀裂は、完全性のレベルによって説明され、葉間を一定レベル未満の空気が流れることができる。本明細書に説明される様々な実施形態は、容積的な放射線像を使用して亀裂完全性を特定し、それらを２Ｄ画像で視覚的に提示する。
【００１６】
図１は、コンピュータ内のプロセッサなどの処理装置４０を含み得、視覚的表示部（モニタ又はスクリーン）又は印刷装置などの出力装置４２も含み得る例示的な肺の視覚化システム１０を示す。システム１０はまた、システムのメモリに記憶され、処理装置４０上で動作可能なソフトウェア（コンピュータ可読媒体）に含まれる命令を含んでもよい。ソフトウェアは、場合によっては、公共及び／又は私的なデータネットワーク３０を介して処理装置４０に接続されたデータソース２０から容積的な撮像データを含む患者データを受信し、データを分析して肺を特徴付け、撮像データの分析から得られた画像を生成するための命令を含む、本明細書に説明される様々なステップ及び方法を行うための処理装置４０の命令を含んでもよい。生成された画像は、データネットワーク３０を介して顧客の計算装置に送信されてもよく、又は物理的形態で出力され、顧客に送達されてもよい。
【００１７】
実施形態の例は、ハードウェア、ファームウェア、及び／又はソフトウェアの組み合わせを使用して実施することができる。例えば、多くの場合、実施例によって提供される機能の一部又は全ては、プログラム可能なコンピュータプロセッサで継続することができる実行可能なソフトウェア命令で実装してもよい。同様に、本発明のいくつかの実施例は、そのような実行可能なソフトウェア命令が記憶されるコンピュータ可読記憶装置を含む。特定の実施例では、システムプロセッサ自体は、１つ以上のタスクを行う命令を含んでもよい。システムの処理能力は、任意の特定の構成に限定されず、当業者であれば、本明細書で提供される教示は、複数の異なる方式で実施され得ることを理解するであろう。
【００１８】
図２は、例えば、システム１０の一部としてソフトウェアを使用して遂行され得る、肺の特徴付け及び視覚化方法６０のフローチャートを示す。ステップ６４において、患者の容積的な放射線像又は撮像データは、データソース２０から処理装置４０に送信される。容積的な放射線像又は撮像データは、コンピュータ断層撮影（computed tomography、ＣＴ）スキャン、磁気共鳴撮像（magnetic resonance imaging、ＭＲＩ）スキャン、及び／又はポジトロンＣＴ（position emission tomography、ＰＥＴ）スキャンで計算することができ、このスキャンから、一連の二次元平面画像（本明細書では二次元の容積的な画像又は二次元画像と呼ばれる）を複数の平面で製造することができる。
【００１９】
ステップ６６において、受信した画像データを使用して肺、気道、及び／又は血管がセグメント化される。容積的な画像又は撮像データから肺、気道、及び血管のセグメント化を行う方法は、様々な研究論文（例えば、Ｓｔｒａｎｇｅ  Ｃ、Ｈｅｒｔｈ，ＦＪ、Ｋｏｖｉｔｚ，ＫＬ、ＭｃＬｅｎｎａｎ，Ｇ、Ｅｒｎｓｔ，Ａ、Ｇｏｌｄｉｎ  Ｊらの肺気腫緩和試験（Valve for Emphysema Palliation Trial、ＶＥＮＴ）のための気管支内弁の設計、肺容量減少の非外科的方法、ＢＭＣ  Ｐｕｌｍ  Ｍｅｄ．２００７年７月３日、７：１０）に記載されている方法であり得る。肺、気道、及び血管のセグメンテーション化により、肺組織、気道、及び血管が周辺組織とは異なるものとして識別され、肺、気道、及び血管は、標準的な肺の解剖学に従って個別に識別できるより小さい異なる部分に分離される。次いで、肺葉を分離したデータから線引きする。
【００２０】
ステップ６８において、各葉について、標的葉の肺葉データ内の各ボクセルに対するハウンスフィールド単位（すなわち、放射線濃度（Hounsfield unit、ＨＵ））値に基づいて肺気腫スコアを生成する。一実施形態では、肺気腫スコアは、葉内の肺気腫の割合として特定される。この割合は、葉ボクセルの割合が、ハウンスフィールド単位値が閾値未満（例えば、−９２０ＨＵ）であるか、又はハウンスフィールド単位値の範囲内にあるかどうかを判定することによって計算される。
【００２１】
次に、ステップ７０において、撮像データの分析に基づいて、３つの亀裂の各々について亀裂完全性値が生成される。亀裂完全性値を計算するための例示的な方法は、「Ｂｒｏｗｎ，ＭＳ、Ｏｃｈｓ，Ｒ、Ａｂｔｉｎ，Ｆ、Ｏｒｄｏｏｋｈａｎｉ，Ａ、Ｂｒｏｗｎ，Ｍ、Ｋｉｍ，Ｈ、Ｓｈａｗ，Ｇ、Ｃｈｏｎｇ，Ｄ、Ｇｏｌｄｉｎ，Ｊ、Ａｕｔｏｍａｔｅｄ  Ｑｕａｎｔｉｔａｔｉｖｅ  Ａｓｓｅｓｓｍｅｎｔ  ｏｆ  Ｌｕｎｇ  Ｆｉｓｓｕｒｅ  Ｉｎｔｅｇｒｉｔｙ  ｏｎ  ＣＴ、Ｐｒｏｃｅｅｄｉｎｇｓ  ｏｆ  ｔｈｅ  Ｆｉｒｓｔ  Ｉｎｔｅｒｎａｔｉｏｎａｌ  Ｗｏｒｋｓｈｏｐ  ｏｎ  Ｐｕｌｍｏｎａｒｙ  Ｉｍａｇｅ  Ａｎａｌｙｓｉｓ、Ｎｅｗ  Ｙｏｒｋ，ＵＳＡ、２００８、９３−１０２」に記載されている。
【００２２】
次いで、ステップ７２において、標的葉に対する肺気腫スコアと標的葉に隣接する葉の肺気腫スコアとの間の差に基づいて、各葉に対する不均質性スコアが生成される。
【００２３】
次に、ステップ７４において、少なくとも２つの葉、亀裂完全性インジケータ、及び肺気腫レベルの視覚的識別子に対するＢＬＶＲ候補アイコンを含む画像を含む報告書を生成する。
【００２４】
次いで、ステップ７６において、医療提供者は、生成された報告書のレビューに基づいて、ＢＬＶＲ処置を行う、すなわち、１つ以上の気管支間弁（interbronchial valve、ＩＢＶ）を肺葉内に置く。例示的なＩＢＶは、Ｏｌｙｍｐｕｓ（登録商標）によって製造されるＩＢＶ弁システムである。
【００２５】
図３は、処理装置４０によって生成された例示的な報告書８０を示す（図２のステップ７４）。報告書８０は、複数の異なる形式のいずれかで生成され、報告書の要求を最初に行ったエンティティ（例えば、分析された画像データに関連付けられた患者の治療に関与する医療専門家）に任意の数の異なる手段で送達されてもよい。報告書８０は、肺葉８４の画像を含む肺の表示領域８２を含む。以前に計算された肺気腫スコアは、肺の表示領域８２の左側の肺気腫スコアスケールを参照して肺気腫スコアが事前定義されたスケール内のどこにあるかに基づいて、肺葉８４の画像上に特定のパターン又は色でグラフィカルに表されている。
【００２６】
亀裂線８６は、肺の表示領域８２内のそれぞれの葉の間に示されている。亀裂線８６は、肺気腫スコアスケールの下に示される亀裂完全性スケールを参照して以前に計算された亀裂完全性スコア及び亀裂完全性スケールに基づいて、特定の線パターン及び／又は色によって提示される。
【００２７】
ＢＬＶＲ候補アイコン９０は、肺の表示領域８２内の関連する肺葉の隣に、又はそれと重なって示されている。この例では、アイコン９０は、右上部葉、右下部葉、左上部葉、及び左下部葉についてのみ示されている。しかしながら、計算されたスコアは、報告書８０の底部のテーブル内の全ての葉について示されている。ＢＬＶＲ候補アイコン９０は、肺気腫、亀裂完全性、及び不均質性の計算されたスコアを含む。アイコン９０内の各スコアに対する背景色又はパターンは、スコアの各々について事前定義された組み入れ基準（すなわち、閾値）を満たすか又は満たさないことを表している。アイコン９０は、医療専門家がＢＬＶＲ処置にどの葉が良好な候補であるかを判定することを可能にするための視覚的ツールを提供する。図３の実施例では、左上部葉は、３つのスコア全てが関連する事前定義された基準（すなわち、閾値）を満たす唯一の葉である。基準は、複数の臨床試験から得られた経験に基づいて決定された。
【００２８】
本発明の説明は、本質的に単に例示的なものであり、本発明の趣旨から逸脱しない変形が、本発明の範囲内にあることが意図される。かかる変形は、本発明の趣旨及び範囲から逸脱するものとしてみなされない。
【００２９】
実施形態
【００３０】
Ａ．方法であって、人の肺の少なくとも一部分の三次元画像データを受信することであって、この三次元画像データは、ボクセルを含む、受信することと、ボクセルから肺葉及び肺亀裂を線引きすることと、線引きされた肺葉内のボクセルの各々について、事前定義された放射線濃度値の閾値又は放射線濃度値の閾値範囲に基づいて、肺葉の各々に対する肺気腫スコアを生成することと、ボクセルに基づいて、肺亀裂の各々に対する亀裂完全性スコアを生成することと、標的葉の肺気腫スコア及び標的葉に隣接する葉の肺気腫スコアに基づいて、少なくとも２つの葉の不均質性スコアを生成することと、肺気腫スコア、亀裂完全性スコア、及び不均質性スコアを含む報告書を生成することと、この報告書を出力することと、を含む、方法。
【００３１】
Ｂ．報告書は、生成された肺気腫スコアに基づく肺気腫レベルの視覚的表現と、生成された亀裂完全性スコアに基づく亀裂完全性の視覚的表現と、肺葉候補の視覚的表現と、を含む、Ａに記載の方法。
【００３２】
Ｃ．肺気腫レベルの視覚的表現は、肺葉の各々の視覚的表現を含み、肺気腫レベルは、対応する肺葉の視覚的表現の特定の色又はパターンのうちの少なくとも１つによって視覚的に表される、Ｂに記載の方法。
【００３３】
Ｄ．亀裂完全性の視覚的表現は、線引きされた亀裂の各々の視覚的表現を含み、線引きされた亀裂は、亀裂完全性スコアに基づいて特定の色又はパターンのうちの少なくとも１つによって視覚的に表される、Ｂ又はＣに記載の方法。
【００３４】
Ｅ．肺葉候補の視覚的表現は、肺葉候補アイコンを含み、この肺葉候補アイコンは、対応する肺葉の視覚的表現に視覚的に関連付けられている、Ｂ〜Ｄのいずれか１つに記載の方法。
【００３５】
Ｆ．肺葉候補アイコンは、肺気腫スコアと、関連する肺葉の不均質性スコアと、関連する肺葉に隣接する亀裂の亀裂完全性スコアと、を含む、Ｅに記載の方法。
【００３６】
Ｇ．肺葉候補アイコンは、事前定義された組み入れ基準を満たす視覚的指標を含む、Ｅ又はＦに記載の方法。
【００３７】
Ｈ．事前定義された組み入れ基準を満たす視覚的指標は、一意の色又はパターンのうちの少なくとも１つにおいて、肺葉候補アイコンの少なくとも一部分を表すことを含む、Ｇに記載の方法。
【００３８】
Ｉ．放射線濃度値は、ハウンスフィールド単位値で表される、Ａ〜Ｈのいずれか１つに記載の方法。
【００３９】
Ｊ．システムであって、人の肺の少なくとも一部分の三次元画像データを受信することであって、この三次元画像データは、ボクセルを含む、受信することと、ボクセルから肺葉及び肺亀裂を線引きすることと、線引きされた肺葉内のボクセルの各々について、事前定義された放射線濃度値の閾値又は放射線濃度値の閾値範囲に基づいて、肺葉の各々に対する肺気腫スコアを生成することと、ボクセルに基づいて、肺亀裂の各々に対する亀裂完全性スコアを生成することと、標的葉の肺気腫スコア及び標的葉に隣接する葉の肺気腫スコアに基づいて、少なくとも２つの葉の不均質性スコアを生成することと、肺気腫スコア、亀裂完全性スコア、及び不均質性スコアを含む報告書を生成することと、を行うように構成されている、処理装置と、処理装置と信号通信する出力装置であって、報告書を出力するように構成されている、出力装置と、を備える、システム。
【００４０】
Ｋ．報告書は、生成された肺気腫スコアに基づく肺気腫レベルの視覚的表現と、生成された亀裂完全性スコアに基づく亀裂完全性の視覚的表現と、肺葉候補の視覚的表現と、を含む、Ｊに記載のシステム。
【００４１】
Ｌ．肺気腫レベルの視覚的表現は、肺葉の各々の視覚的表現を含み、肺気腫レベルは、対応する肺葉の視覚的表現の特定の色又はパターンのうちの少なくとも１つによって視覚的に表される、Ｋに記載のシステム。
【００４２】
Ｍ．亀裂完全性の視覚的表現は、線引きされた亀裂の各々の視覚的表現を含み、線引きされた亀裂は、亀裂完全性スコアに基づいて特定の色又はパターンのうちの少なくとも１つによって視覚的に表される、Ｋ又はＬに記載のシステム。
【００４３】
Ｎ．肺葉候補の視覚的表現は、肺葉候補アイコンを含み、この肺葉候補アイコンは、肺葉の視覚的表現の対応する１つに視覚的に関連付けられている、Ｋ〜Ｍのいずれか１つに記載のシステム。
【００４４】
Ｏ．肺葉候補アイコンは、肺気腫スコアと、関連する肺葉の不均質性スコアと、関連する肺葉に隣接する亀裂の亀裂完全性スコアと、を含む、Ｎに記載のシステム。
【００４５】
Ｐ．肺葉候補アイコンは、事前定義された組み入れ基準を満たす視覚的指標を含む、Ｎ又はＯに記載のシステム。
【００４６】
Ｑ．事前定義された組み入れ基準を満たす視覚的指標は、一意の色又はパターンのうちの少なくとも１つにおいて、肺葉候補アイコンの少なくとも一部分を表すことを含む、Ｐに記載のシステム。
【００４７】
Ｒ．放射線濃度値は、ハウンスフィールド単位値で表される、Ｊ〜Ｑのいずれか１つに記載のシステム。
【００４８】
Ｓ．非一時的なコンピュータ可読記録媒体であって、その上に実行可能なプログラムが格納されており、このプログラムは、プロセッサに、人の肺の少なくとも一部分の三次元画像データを受信することであって、この三次元画像データは、ボクセルを含む、受信することと、ボクセルから肺葉及び肺亀裂を線引きすることと、線引きされた肺葉内のボクセルの各々について、事前定義された放射線濃度値の閾値又は放射線濃度値の閾値範囲に基づいて、肺葉の各々に対する肺気腫スコアを生成することと、ボクセルに基づいて、肺亀裂の各々に対する亀裂完全性スコアを生成することと、標的葉の肺気腫スコア及び標的葉に隣接する葉の肺気腫スコアに基づいて、少なくとも２つの葉の不均質性スコアを生成することと、肺気腫スコア、亀裂完全性スコア、及び不均質性スコアを含む報告書を生成することと、この報告書を出力装置に出力することと、を行わせる、非一時的なコンピュータ可読記録媒体。
【００４９】
Ｔ．報告書は、生成された肺気腫スコアに基づく肺気腫レベルの視覚的表現と、生成された亀裂完全性スコアに基づく亀裂完全性の視覚的表現と、肺葉候補の視覚的表現と、を含む、Ｓに記載の非一時的なコンピュータ可読媒体。
【００５０】
Ｕ．システムであって、人の肺の少なくとも一部分の三次元画像データから以前に線引きされた各肺葉に対する肺気腫スコアを受信することと、この三次元画像データから以前に線引きされた肺亀裂の各々に対する亀裂完全性スコアを受信することと、少なくとも２つの葉の不均質性スコアを受信することと、肺気腫スコア、亀裂完全性スコア、及び不均質性スコアを含む報告書を生成することと、を行うように構成されている、処理装置と、処理装置と信号通信する出力装置であって、報告書を出力するように構成されている、出力装置と、を備える、システム。
【００５１】
Ｖ．報告書は、生成された肺気腫スコアに基づく肺気腫レベルの視覚的表現と、生成された亀裂完全性スコアに基づく亀裂完全性の視覚的表現と、肺葉候補の視覚的表現と、を含む、Ｕに記載のシステム。
【００５２】
Ｗ．肺気腫レベルの視覚的表現は、肺葉の各々の視覚的表現を含み、肺気腫レベルは、対応する肺葉の視覚的表現の特定の色又はパターンのうちの少なくとも１つによって視覚的に表される、Ｖに記載のシステム。
【００５３】
Ｘ．亀裂完全性の視覚的表現は、線引きされた亀裂の各々の視覚的表現を含み、線引きされた亀裂は、亀裂完全性スコアに基づいて特定の色又はパターンのうちの少なくとも１つによって視覚的に表される、Ｖ又はＷに記載のシステム。
【００５４】
Ｙ．肺葉候補の視覚的表現は、肺葉候補アイコンを含み、この肺葉候補アイコンは、肺葉の視覚的表現の対応する１つに視覚的に関連付けられている、Ｖ〜Ｘのいずれか１つに記載のシステム。
【００５５】
Ｚ．肺葉候補アイコンは、肺気腫スコアと、関連する肺葉の不均質性スコアと、関連する肺葉に隣接する亀裂の亀裂完全性スコアと、を含む、Ｙに記載のシステム。
【００５６】
ＡＡ．肺葉候補アイコンは、事前定義された組み入れ基準を満たす視覚的指標を含む、Ｙ又はＺに記載のシステム。
【００５７】
ＡＢ．事前定義された組み入れ基準を満たす視覚的指標は、一意の色又はパターンのうちの少なくとも１つにおいて、肺葉候補アイコンの少なくとも一部分を表すことを含む、ＡＡに記載のシステム。
【００５８】
ＡＣ．放射線濃度値は、ハウンスフィールド単位値で表される、ＵからＡＢのいずれか１つに記載のシステム。
【００５９】
本発明の好ましい実施形態が、ここまで記載されたが、本発明は、これらの実施例に限定されない。追加、省略、置換、及び他の変形を、本発明の趣旨及び範囲から逸脱することなく行うことができる。
【符号の説明】
【００６０】
１０  肺の視覚化システム
２０  データソース
３０  データネットワーク
４０  処理装置
４２  出力装置
【図１】
2020113275.tif 000003
【図２】
2020113275.tif 000004
【図３】
2020113275.tif 000005
【外国語明細書】
2020113275000001.pdf